(57)【要約】【課題】ＩＴ時代に求められるコンピュータ機器に対するノイズ障害防止機能に優れ、建物全体の等電位化・シールド化による雷害対策にも有効な構造躯体及び構造躯体を利用した接地構造並びにその施工方法を提供する。【解決手段】スラブ構造躯体３１を構成するデッキスラブ１、鉄筋あるいはメッシュ筋等に、接地ケーブル２４を接続するためのケーブル取出し用ボルト４、４Ａ、４Ｂを、そのネジ部５を上方にして立設すると共に、該ケーブル取出し用ボルト４、４Ａ、４Ｂに接地ケーブル接続金物１５、１５Ａ、１５Ｂを固着し、接地を必要とする機器３２とスラブ構造躯体３１を非常に短い長さの接地ケーブル２４で接続可能な構造躯体。【選択図】        図１
2004183426.tif 000002
【特許請求の範囲】
【請求項１】
スラブ構造躯体を構成する鉄筋、メッシュ筋あるいはデッキスラブ等に、接地ケーブルを接続するためのケーブル取出し用ボルトを、そのネジ部を上方にして立設すると共に、該ケーブル取出し用ボルトに接地ケーブル接続金物を固着してなることを特徴とする構造躯体。
【請求項２】
前記ケーブル取出し用ボルトを、前記デッキスラブの主鉄筋及び／又は下部鉄板プレートに溶接接合してなることを特徴とする請求項１に記載の構造躯体。
【請求項３】
前記ケーブル取出し用ボルトを、Ｕ字形状となし、前記ネジ部を有していない辺を前記デッキスラブの主鉄筋及び／又は下部鉄板プレートに溶接接合してなることを特徴とする請求項１に記載の構造躯体。
【請求項４】
前記ケーブル取出し用ボルトを、Ｌ字形状となし、前記ネジ部を有していない辺を前記デッキスラブの下部鉄板プレートに溶接接合してなることを特徴とする請求項１に記載の構造躯体。
【請求項５】
前記ケーブル取出し用ボルトを、１平方メートル当り数箇所程度に設置してなることを特徴とする請求項１ないし４のいずれかに記載の構造躯体。
【請求項６】
前記接地ケーブル接続金物を、スラブ厚さに合わせて固着してなることを特徴とする請求項１ないし５のいずれかに記載の構造躯体。
【請求項７】
前記接地ケーブル接続金物と前記ケーブル取出し用ボルトの全長を、前記スラブ厚さと同一長さに固着してなることを特徴とする請求項１ないし５のいずれかに記載の構造躯体。
【請求項８】
前記接地ケーブル接続金物を、中心に貫通ネジ孔を有するナット状部材にて構成し、その下端を前記ケーブル取出し用ボルトの上端ネジ部にネジ結合により固着してなることを特徴とする請求項１ないし７のいずれかに記載の構造躯体。
【請求項９】
前記接地ケーブル接続金物を構成するナット状部材の貫通ネジ孔に、接地ケーブル接続用のボルトをネジ結合可能としてなることを特徴とする請求項８に記載の構造躯体。
【請求項１０】
前記接地ケーブル接続金物を、前記ケーブル取出し用ボルトの上端が突出するよう該ケーブル取出し用ボルトの上端ネジ部にネジ結合により固着し、該突出部に接地ケーブル接続用のナットをネジ結合可能に構成してなることを特徴とする請求項１ないし７のいずれかに記載の構造躯体。
【請求項１１】
前記接地ケーブル接続金物の上端部に、キャップ又は蓋を着脱自在に装着してなることを特徴とする請求項１ないし１０のいずれかに記載の構造躯体。
【請求項１２】
請求項１ないし１１のいずれかに記載された構造躯体側の前記接地ケーブル接続金物に、各種機器類からの接地ケーブルを接続してなることことを特徴とする構造躯体を利用した接地構造。
【請求項１３】
前記接地ケーブルの一端に設けられたケーブル端子を、前記接地ケーブル接続金物に対しボルト又はナットを介して接続してなることを特徴とする請求項１２に記載の構造躯体を利用した接地構造。
【請求項１４】
スラブ構造躯体を構成する鉄筋、メッシュ筋あるいはデッキスラブ等に、接地ケーブルを接続するためのケーブル取出し用ボルトを、そのネジ部を上方にして立設し、該ケーブル取出し用ボルトに接地ケーブル接続金物をスラブ厚さに合わせたレベルとなるよう固着すると共に、該接地ケーブル接続金物の上端部にキャップ又はスタイロフォーム蓋を装着した後、コンクリートを打設し、しかる後床の補修及び床仕上げを行うことを特徴とする構造躯体の施工方法。
【請求項１５】
前記デッキスラブとして、予め工場にて前記ケーブル取出し用ボルトを溶接接合したものを用いてなることを特徴とする請求項１４に記載の構造躯体の施工方法。
【請求項１６】
前記デッキスラブを現場にて所定位置に固着した後、該デッキスラブ相互を鉄骨に仮止め溶接し、次いで上端筋を配筋し、更にデッキスラブ主鉄筋と壁鉄筋を所定ピッチ毎に結束又は溶接し、しかる後前記該ケーブル取出し用ボルトに前記接地ケーブル接続金物を固着してなることを特徴とする請求項１４又は１５のいずれかに記載の構造躯体の施工方法。
【請求項１７】
前記鉄筋又はメッシュ筋を配筋した後、所定ピッチ毎にこれらを溶接すると共に、該鉄筋又はメッシュ筋に対し前記ケーブル取出し用ボルトを所要箇所に溶接接合し、該ケーブル取出し用ボルトに前記接地ケーブル接続金物をスラブ厚さに合わせたレベルとなるよう固着してなることを特徴とする請求項１４に記載の構造躯体の施工方法。
【発明の詳細な説明】
【０００１】
【発明の属する技術分野】
本発明は、各種工場や事務所ビル等の建物に用いる構造躯体に関し、特に高周波・高調波ノイズによる障害や雷害の影響を受け易いコンピュータ機器類に対して低コストで高品質の接地構造を提供できる構造躯体であって、データセンター等をはじめとする各種工場やＩＴ化が進んだ事務所ビル等に用いて好適な構造躯体及び構造躯体を利用した接地構造並びにその施工方法に関するものである。
【０００２】
【従来の技術】
従来、建物の構造躯体を接地に利用したものとして、柱部の鉄骨や鉄筋を接地線としたものが実施されているが、スラブ構造躯体を構成する鉄筋やメッシュ筋あるいはデッキスラブ等を接地に利用したものは見当たらない。
一方、データセンター等においては、フリーアクセスフロア内に銅線等をメッシュ状に配線し、これと電気的に接続することによって低抵抗接地を実現するようにしたものが見られる。
【０００３】
上記したデッキスラブは、製品自体として溶接工法が採用されており、電気的に接続されていることから接地用として利用可能ではあるが、床面から接地線を取出すことは従来全く考えられていなかった。
このため、従来の技術を利用して接地線を床面から取出そうとすると、
（１）床埋設ボックスを設け、デッキスラブ筋に溶接した接地線を該ボックスに入れておいた後、コンクリートを打設する。
（２）デッキスラブ筋に溶接した接地線を支持材により固定した状態でコンクリートを打設する。
等の方法が考えられる。
【０００４】
しかしながら、上記（１）は、従来床打ち込み配管として施工された方法であり、１平方メートル当り４箇所程度にボックスを埋設するとなると、非常に手間のかかる作業となることから、コスト的及び作業工程的に多くの問題がある。また、上記（２）の場合、上端筋の配筋やコンクリート打設作業及びコンクリート打設時の左官作業、床仕上げ作業の支障となると共に、接地線がコンクリート内に埋設されてしまうと云った懸念が残る等の問題があった。
【０００５】
一方、フリーアクセスフロア内に銅線をグリッド状に設置するには、多額の費用が必要となると共に、２００〜３００ｍｍ程度以上の高さを持つフリーアクセスフロアを設置することが必要不可欠であると云う問題を有し、このため、フリーアクセスフロアのない建物に採用することは不可能である。また、コンピュータ機器等の各種機器を設置する場合、この接地線を盛り替える必要があり、維持管理面でも多大の負担がかかる問題を有している。
【０００６】
【発明が解決しようとする課題】
本発明は、上記した問題に対処するためになされたものであり、その第一の課題は、ＩＴ時代に求められるコンピュータ機器等に対するノイズ障害防止機能に優れ、建物全体の等電位化・シールド化による雷害対策にも有効な構造躯体及び構造躯体を利用した接地構造並びにその施工方法を提供することにある。
【０００７】
また、本発明の他の課題は、低抵抗接地を実現するための現場追加作業を最小限に抑え、低コストで工程上のメリットも期待でき、しかも作業者の安全性を確保しながら施工できる構造躯体及び構造躯体を利用した接地構造並びにその施工方法を提供することにある。
本発明の更なる課題は、低抵抗の接地構造を構造躯体の配筋作業やコンクリート打設作業及び左官作業への支障にならないようにして施工できる構造躯体及び構造躯体を利用した接地構造並びにその施工方法を提供することにある。
【０００８】
【課題を解決するための手段】
上記した課題を解決するため、請求項１に係る発明の構造躯体は、スラブ構造躯体を構成する鉄筋、メッシュ筋あるいはデッキスラブ等に、接地ケーブルを接続するためのケーブル取出し用ボルトを、そのネジ部を上方にして立設すると共に、該ケーブル取出し用ボルトに接地ケーブル接続金物を固着してなることを特徴とするものである。
上記のようにスラブ構造躯体を構成する鉄筋、メッシュ筋あるいはデッキスラブ等にケーブル取出し用ボルトを立設し、これに接地ケーブル接続金物を固着することによって、比較的簡易な構成でスラブ構造躯体の鉄筋、メッシュ筋あるいはデッキスラブ等を接地線として利用した接地構造を実現することが可能となり、スラブ構造躯体を用いた低接地抵抗の接地構造を得ることができる。
【０００９】
また、請求項２に係る発明の構造躯体は、請求項１に記載された構造躯体において、前記ケーブル取出し用ボルトを、前記デッキスラブの主鉄筋及び／又は下部鉄板プレートに溶接接合してなることを特徴とするものである。
このようにデッキスラブにケーブル取出し用ボルトを立設する場合、デッキスラブの主鉄筋及び／又は下部鉄板プレートに対して直接ケーブル取出し用ボルトを溶接接合することができ、この構造はデッキスラブ主筋上部にコンクリートかぶり厚さを確保できる場合に好適である。
【００１０】
更に、請求項３に係る発明の構造躯体は、請求項１に記載された構造躯体において、前記ケーブル取出し用ボルトを、Ｕ字形状となし、前記ネジ部を有していない辺を前記デッキスラブの主鉄筋及び／又は下部鉄板プレートに溶接接合してなることを特徴とするものである。
このようにケーブル取出し用ボルトをＵ字形状となし、ネジ部を有していない辺をデッキスラブの主鉄筋及び／又は下部鉄板プレートに溶接接合することによって、デッキスラブにケーブル取出し用ボルトを立設することができ、この構造はデッキスラブ主筋上部にコンクリートかぶり厚さを確保できない場合に適している。
【００１１】
更にまた、請求項４に係る発明の構造躯体は、請求項１に記載された構造躯体において、前記ケーブル取出し用ボルトを、Ｌ字形状となし、前記ネジ部を有していない辺を前記デッキスラブの下部鉄板プレートに溶接接合してなることを特徴とするものである。
上記のようにケーブル取出し用ボルトをＬ字形状となし、ネジ部を有していない辺をデッキスラブの下部鉄板プレートに溶接することによっても、デッキスラブにケーブル取出し用ボルトを立設することができ、この構造もデッキスラブ主筋上部にコンクリートかぶり厚さを確保できない場合に好適である。
【００１２】
また、請求項５に係る発明の構造躯体は、請求項１ないし４のいずれかに記載された構造躯体において、前記ケーブル取出し用ボルトを、１平方メートル当り数箇所程度に設置してなることを特徴とするものである。
上記のようにケーブル取出し用ボルトを１平方メートル当り数箇所、例えば２〜４箇所程度設置しておくことにより、通常の建物における接地ケーブルの接続需要を十分に満たすことができる。
【００１３】
更に、請求項６に係る発明の構造躯体は、請求項１ないし５のいずれかに記載された構造躯体において、前記接地ケーブル接続金物を、スラブ厚さに合わせて固着してなることを特徴とするものである。
このように接地ケーブル接続金物をスラブ厚さに合わせて固着することにより、スラブ床面と同一平面内に接地ケーブル接続金物を設置することができ、凹凸のない床面に仕上げることができる。
【００１４】
また、請求項７に係る発明の構造躯体は、請求項１ないし５のいずれかに記載された構造躯体において、前記接地ケーブル接続金物と前記ケーブル取出し用ボルトの全長を、前記スラブ厚さと同一長さに固着してなることを特徴とするものである。
上記のように接地ケーブル接続金物とケーブル取出し用ボルトを合わせた長さをスラブ厚さと同じ長さに固着することにより、接地ケーブル接続金物を簡易にスラブ床面と同一平面内に設置することができる。
【００１５】
更にまた、請求項８に係る発明の構造躯体は、請求項１ないし７のいずれかに記載された構造躯体において、前記接地ケーブル接続金物を、中心に貫通ネジ孔を有するナット状部材にて構成し、その下端を前記ケーブル取出し用ボルトの上端ネジ部にネジ結合により固着してなることを特徴とするものである。
上記のように接地ケーブル接続金物を中心に貫通ネジ孔を有するナット状部材にて構成することにより、接地ケーブル接続金物のケーブル取出し用ボルトへの取り付け固着並びにスラブ厚さへの合わせ固着をネジの結合調整によって容易に実施することができる。
【００１６】
請求項９に係る発明の構造躯体は、請求項８に記載された構造躯体において、前記接地ケーブル接続金物を構成するナット状部材の貫通ネジ孔に、接地ケーブル接続用のボルトをネジ結合可能としてなることを特徴とするものである。
上記のように接地ケーブル接続金物を構成するナット状部材の貫通ネジ孔に接地ケーブル接続用のボルトをネジ結合可能に構成することにより、接地ケーブルを接地ケーブル接続金物に対しボルト結合によって簡単に接続することができるとともに、構造躯体と接地を必要とする機器間に設けられる接地ケーブルの長さを短くすることもできる。
【００１７】
また、請求項１０に係る発明の構造躯体は、請求項１ないし７のいずれかに記載された構造躯体において、前記接地ケーブル接続金物を、前記ケーブル取出し用ボルトの上端が突出するよう該ケーブル取出し用ボルトの上端ネジ部にネジ結合により固着し、該突出部に接地ケーブル接続用のナットをネジ結合可能に構成してなることを特徴とするものである。
上記のように接地ケーブル接続金物をケーブル取出し用ボルトにその上端ネジ部が突出するようネジ結合し、この突出部に接地ケーブル接続用のナットをネジ結合可能に構成することにより、接地ケーブルを接地ケーブル接続金物に対しナット結合によって簡単に接続することができるようになる。
【００１８】
更に、請求項１１に係る発明の構造躯体は、請求項１ないし１０のいずれかに記載された構造躯体において、前記接地ケーブル接続金物の上端部に、キャップ又は蓋を着脱自在に装着してなることを特徴とするものである。
このように接地ケーブル接続金物の上端部にキャップ又は蓋を着脱自在に装着しておくことによって、コンクリート打設時にコンクリートが接地ケーブル接続金物のボルト孔や接地ケーブル接続金物内部に侵入しないよう保護することができる。
【００１９】
また、請求項１２に係る発明の構造躯体を利用した接地構造は、請求項１ないし１１のいずれかに記載された構造躯体側の前記接地ケーブル接続金物に、各種機器類からの接地ケーブルを接続してなることことを特徴とするものである。
上記のように構成された構造躯体側の接地ケーブル接続金物に各種機器類からの接地ケーブルを接続することによって、スラブ構造躯体を構成する鉄筋、メッシュ筋あるいはデッキスラブ等を接地線として利用した接地抵抗の極めて低い接地構造を実現することができる。
【００２０】
また、請求項１３に係る発明の構造躯体を利用した接地構造は、請求項１２に記載された構造躯体を利用した接地構造において、前記接地ケーブルの一端に設けられたケーブル端子を、前記接地ケーブル接続金物に対しボルト又はナットを介して接続してなることを特徴とするものである。
上記のように接地ケーブルの一端に設けられたケーブル端子をスラブ構造躯体側の接地ケーブル接続金物に対しボルト又はナットを介して接続することによって、簡単に各種機器類の接地構造を構成することができる。
【００２１】
更に、本発明における請求項１４に係る発明の構造躯体の施工方法は、スラブ構造躯体を構成する鉄筋、メッシュ筋あるいはデッキスラブ等に、接地ケーブルを接続するためのケーブル取出し用ボルトを、そのネジ部を上方にして立設し、該ケーブル取出し用ボルトに接地ケーブル接続金物をスラブ厚さに合わせたレベルとなるよう固着すると共に、該接地ケーブル接続金物の上端部にキャップ又は蓋を装着した後、コンクリートを打設し、しかる後床の補修及び床仕上げを行うことを特徴とするものである。
上記のように施工に際して、スラブ構造躯体を構成する鉄筋、メッシュ筋あるいはデッキスラブ等に接地ケーブルを接続するケーブル取出し用ボルト立設し、このケーブル取出し用ボルトに接地ケーブル接続金物を固着する作業を追加するだけでよく、追加作業も少なく、しかも通常のスラブ構造躯体施工のための配筋作業やコンクリートの打設作業あるいは左官作業に支障を及ぼすこともなく、容易に施工することができる。
【００２２】
また、請求項１５に係る発明の構造躯体の施工方法は、請求項１４に記載された構造躯体の施工方法において、前記デッキスラブとして、予め工場にて前記ケーブル取出し用ボルトを溶接接合したものを用いてなることを特徴とするものである。
このようにケーブル取出し用ボルトを予め工場でデッキスラブに溶接接合したものを用いて施工することにより、現場での作業をより少なくすることができるため、効率よく施工することができる。
【００２３】
更に、請求項１６に係る発明の構造躯体の施工方法は、請求項１４又は１５のいずれかに記載された構造躯体の施工方法において、前記デッキスラブを現場にて所定位置に固着した後、該デッキスラブ相互を鉄骨梁に仮止め溶接し、次いで上端筋を配筋し、更にデッキスラブ主鉄筋と壁鉄筋を前記上端筋にて所定ピッチ毎に結束又は溶接し、しかる後前記該ケーブル取出し用ボルトに前記接地ケーブル接続金物を固着してなることを特徴とするものである。
上記のようにスラブ構造躯体を構成するデッキスラブを鉄骨梁上に仮止め溶接し、これに上端筋を配筋し、更にデッキスラブ主鉄筋と壁鉄筋を上端筋にて所定ピッチ毎に結束又は溶接することによって、壁鉄筋とデッキスラブとを電気的に接続施工することができる。
【００２４】
更にまた、請求項１７に係る発明の構造躯体の施工方法は、請求項１４記載された構造躯体の施工方法において、前記鉄筋又はメッシュ筋を配筋した後、所定ピッチ毎にこれらを溶接すると共に、該鉄筋又はメッシュ筋に対し前記ケーブル取出し用ボルトを所要箇所に溶接接合し、該ケーブル取出し用ボルトに前記接地ケーブル接続金物をスラブ厚さに合わせたレベルとなるよう固着してなることを特徴とするものである。
上記のようにスラブを構成する鉄筋又はメッシュ筋を利用する場合、現場で鉄筋又はメッシュ筋を配筋後、所定ピッチ毎にこれらを溶接し、この鉄筋又はメッシュ筋にケーブル取出し用ボルトを溶接して接地ケーブル接続金物を固着すればよく、現場で配筋される鉄筋又はメッシュ筋に対しても容易にケーブル取出し用ボルト及び接地ケーブル接続金物を設置施工することができる。
【００２５】
【発明の実施の形態】
以下に本発明の実施の形態を図１乃至図１５に基づいて説明する。
図１は本発明の第１実施形態に係る躯体構造の構成を示す側面図、図２は本発明の第２実施形態に係る躯体構造の構成を示す側面図、図３は本発明の第３実施形態に係る躯体構造の構成を示す側面図、図４（Ａ）及び（Ｂ）はデッキスラブを梁上に固着したＳ造りの場合の形態図、図５（Ａ）及び（Ｂ）はデッキスラブを梁上に固着したＳＲＣ造りの場合の形態図、図６はデッキスラブ上に上端筋を配筋したＳ造りの場合の形態図、図７はデッキスラブ上に上端筋を配筋したＳＲＣ造りの場合の形態図、図８はデッキスラブを壁鉄筋に電気的に接続した状態の側面図、図９（Ａ）及び（Ｂ）はケーブル取出し用ボルトに第１形態の接地ケーブル接続金物を固着した状態の側面図、図１０（Ａ）及び（Ｂ）はケーブル取出し用ボルトに第２形態の接地ケーブル接続金物を固着した状態の側面図、図１１はケーブル取出し用ボルトに第３形態の接地ケーブル接続金物を固着した状態の側面図、図１２は接地ケーブルを接続した接地構造の第１形態図、図１３は接地ケーブルを接続した接地構造の第２形態図、図１４は接地ケーブルを接続した接地構造の第３形態図、図１５は本発明に係る構造躯体及び接地構造を採用した建物の全体構成を示す概念図である。
【００２６】
図１に示す第１の実施形態において、１はデッキスラブで、建物３０のスラブ構造躯体３１を構成するものである。デッキスラブ１は主鉄筋２と鉄板プレート３とからなり、工場において製作され、現場に搬入されて組立て施工される。
このデッキスラブ１を工場において製作する際に、合わせてデッキスラブ１の主鉄筋２及び鉄板プレート３に対し、Ｉ字形状の例えばＭ１３程度のケーブル取出し用ボルト４をそのネジ部５を上方にして溶接接合することにより立設するようにしている。
【００２７】
なお、ケーブル取出し用ボルト４の溶接は、鉄板プレート３との溶接のみに止め、主鉄筋２に対する溶接は省略することも可能である。
また、この実施形態は、ケーブル取出し用ボルト４を主鉄筋２より上方に延長させて立設する必要があることから、デッキスラブ１の主鉄筋２の上部にコンクリートかぶり厚さを確保できる場合に適している。
【００２８】
図２に示す第２の実施形態において、４ＡはＵ字加工が施されたＵ字形状のケーブル取出し用ボルトであり、第１の実施形態の場合と同様デッキスラブ１を工場において製作する際に、合わせてデッキスラブ１の主鉄筋２及び鉄板プレート３に対し、Ｍ１３程度のケーブル取出し用ボルト４Ａをそのネジ部５を上方にしてネジ部を有していない辺を溶接接合することにより立設するようにしている。この実施形態は、デッキスラブ１の主鉄筋２の上部にコンクリートかぶり厚さを確保できない場合に適している。
【００２９】
更に、図３に示す第３の実施形態において、４ＢはＬ字加工が施されたＬ字形状のケーブル取出し用ボルトであり、第１の実施形態の場合と同様デッキスラブ１を工場において製作する際に、合わせてデッキスラブ１の鉄板プレート３に対し、Ｍ１３程度のケーブル取出し用ボルト４Ｂをそのネジ部５を上方にしてネジ部を有していない辺を溶接接合することにより立設するようにしている。
この実施形態も、デッキスラブ１の主鉄筋２の上部にコンクリートかぶり厚さを確保できない場合に好適なものである。
【００３０】
なお、ケーブル取出し用ボルト４、４Ａ、４Ｂは、１平方メートル当り数箇所程度（２〜４箇所）設けられる。この際のケーブル取出し用ボルト４、４Ａ、４Ｂの取付けピッチは任意のピッチでよいが、０．２５平方メートルに１箇所程度が好ましい。また、ケーブル取出し用ボルト４、４Ａ、４Ｂを溶接する主鉄筋２はＤ１３が推奨されるが、デッキスラブ１の種類によってはＤ１０を使用することも可能である。
【００３１】
一方、上記のようにケーブル取出し用ボルト４、４Ａ、４Ｂを設けたデッキスラブ１は、工場において製作された後、現場に搬入されてスラブ構造躯体３１の施工に用いられる。以下にその施工方法を施工手順に従って説明する。
先ず、デッキスラブ１は鉄骨梁６上の所定位置に固着されて仮止め溶接される。図４、図５はその状態を示したものである。
【００３２】
図４はＳ造りの場合の例で、（Ｂ）に示すようにデッキスラブ１を相互に接合を十分に行うと共に、（Ａ）に示すように鉄骨梁６に対して必要に応じて金属製の調整板７を介して電気的に接続するようにしている。
なお、ここで鉄骨梁６とデッキスラブ１を電気的に接続できない場合には、次工程のデッキスラブ１に対する上端筋の配筋時に対応する。
【００３３】
また、図５はＳＲＣ造りの場合の例で、この場合も（Ｂ）に示すようにデッキスラブ１を相互に接合を十分に行うと共に、（Ａ）に示すように鉄骨梁６Ａに対して必要に応じて金属製の調整板７Ａを介して電気的に接続するようにしている。
なお、デッキスラブ１は最後に鉄骨梁６、６Ａに対して端部固定材を介して現場溶接８あるいはプレート釘止９によってしっかりと固定される。（図６、図７を参照）
【００３４】
次いで、デッキスラブ１上に上端筋１０を配筋する。
図６はＳ造りの場合、図７はＳＲＣ造りの場合の例で、デッキスラブ１上に上端筋１０を設置し、この上端筋１０をデッキスラブ１の主鉄筋２と結束するか若しくは必要に応じて溶接することが望ましい。また、梁上接続筋１１及び上端定着筋１２はデッキスラブ１の主鉄筋２と５０ｃｍピッチ程度で溶接することを原則とするが、結束により代用することもできる。更に、図８に示すように必要に応じてデッキスラブ１の主鉄筋２と壁鉄筋１３とを上端筋１０等の連結筋によって５０ｃｍピッチ程度毎に結束又は溶接して電気的に接続する。
【００３５】
なお、図８に示すように外壁材１４としてＰＣやＡＬＣを用いる場合には型枠材として使用することが望ましく、この場合、内側の壁鉄筋１３とデッキスラブ１又は鉄骨梁６とを電気的に接続する。電気的に接続する方法としては、上端定着筋１２や上端筋１０等の連結筋を使用し、壁鉄筋１３とデッキスラブ１の主鉄筋２とを５０ｃｍピッチ程度毎に結束又は溶接する。
【００３６】
続いて、図９、図１０及び図１１に示すようにケーブル取出し用ボルト４、４Ａ、４Ｂの上端ネジ部５に接地ケーブル接続金物を固着する。
図９（Ａ）及び（Ｂ）に示す接地ケーブル接続金物１５は、ケーブル取出し用ボルト４、４Ｂのネジ部５にネジ結合するための貫通ネジ孔１６を中心に有する３０φ程度のナット状部材１７によって構成され、その上端部に貫通ネジ孔１６を利用してキャップ１８が着脱自在に装着されるようになっている。この接地ケーブル接続金物１５は、上端がスラブ厚さに合わせたレベルとなるようネジ結合を調整することによって、スラブ床仕上げ面と同一面に固着される。
【００３７】
また、図１０（Ａ）及び（Ｂ）に示す接地ケーブル接続金物１５Ａは、ケーブル取出し用ボルト４、４Ｂのネジ部５にネジ結合するための貫通ネジ孔１９を中心に有する長ナット２０によって構成され、その上部に５０φ程度のスタイロフォーム２１が着脱自在に装着されるようになっている。この接地ケーブル接続金物１５Ａは、スタイロフォーム２１の上面がスラブ厚さに合わせたレベルとなるよう長ナット２０のネジ結合を調整することによって、スラブ床仕上げ面と同一面に固着される。尚、長ナット２０をスラブ厚さに合わせたレベルに調整することによりスタイロフォーム２１を用いなくてもよい。
【００３８】
更に、図１１に示す接地ケーブル接続金物１５Ｂは、ケーブル取出し用ボルト４Ｂのネジ部５にその上端が突出するようネジ結合により固着される椀状部材２２によって構成され、その上部開口に蓋２３が着脱自在に装着されるようになっている。この接地ケーブル接続金物１５Ｂは、蓋２３の上面がスラブ厚さに合わせたレベルとなるよう椀状部材２２のネジ結合を調整することによって、スラブ床仕上げ面と同一面に固着される。
【００３９】
以上のようにして接地ケーブル接続金物１５、１５Ａ、１５Ｂをケーブル取出し用ボルト４、４Ａ、４Ｂに固着した後、従来通りの作業によってスラブコンクリートを打設する。このコンクリート打設時に、ナット状部材１７や長ナット２０のネジ孔１６、１９あるいは椀状部材２２の内部にコンクリートが侵入しないようキャップ１８、スタイロフォーム２１、蓋２３によって保護している。
そして、コンクリート打設作業後、更に床の補修及び床仕上げ作業を行うことによってスラブ構造躯体３１が施工される。
【００４０】
なお、上記はスラブ構造躯体３１を構成するデッキスラブを利用した場合の例について説明したが、鉄筋やメッシュ筋を利用することもでき、この場合、現場で鉄筋やメッシュ筋を配筋後、５０ｃｍピッチ程度毎にこれらを溶接又は結束すると共に、ケーブル取出し用ボルト４、４Ａ、４Ｂ等を必要箇所に溶接し、このケーブル取出し用ボルトに接地ケーブル接続金物１５、１５Ａ、１５Ｂ等を上記と同様に固着することによって構成することができる。
【００４１】
上記のようにして施工されたスラブ構造躯体３１に対して、コンピュータ機器等の各種機器類３２を接地する場合、接地を必要とする箇所における接地ケーブル接続金物１５、１５Ａ、１５Ｂのキャップ１８、スタイロフォーム２１、蓋２３を取り外し、図１２、図１３、図１４に示すようにして接地ケーブル２４を接続する。
図１２に示す接地構造は、接地ケーブル接続金物１５を構成するナット状部材１７の貫通ネジ孔１６を利用し、接地ケーブル２４の一端に設けられているケーブル端子２５をボルト２６によりネジ止め固定することによって、接地ケーブル接続金物１５に接地ケーブル２４を接続するようにしたものである。
【００４２】
また、図１３に示す接地構造は、スタイロフォーム２１を取り外すことにより露出する長ナット２０の貫通ネジ孔１９を利用し、接地ケーブル２４の一端に設けられているケーブル端子２５をボルト２６によりネジ止め固定することによって、接地ケーブル接続金物１５Ａに接地ケーブル２４を接続するようにしたものである。
更に、図１４に示す接地構造は、蓋２３を取り外すことにより露出するケーブル取出し用ボルト４、４Ａ、４Ｂ等の上端ネジ部５を利用し、接地ケーブル２４の一端に設けられているケーブル端子２５をナット２７によりネジ止め固定することによって、接地ケーブル接続金物１５Ｂに接地ケーブル２４を接続するようにしたものである。
【００４３】
このようにして、コンピュータ機器等の各種機器類３２の接地ケーブル２４をスラブ構造躯体３１に設けられている接地ケーブル接続金物１５、１５Ａ、１５Ｂに対して接続することにより接地ケーブル２４の長さを２メートル以下程度と短い距離で構造躯体に接地させることができる。
図１５は建物３０内に設置されたコンピュータ機器等の各種機器類３２を接地するようにした建物の全体構成を示すもので、電力系ケーブル３３、情報系ケーブル３４の必要箇所にアレスタ（過電圧保護器）３５を設置し、スラブ構造躯体３１のデッキスラブ１や鉄筋、メッシュ筋、あるいは柱部又は壁鉄筋１３等の金属部材に接地するようにしている。
【００４４】
以上のようにスラブ構造躯体３１を構成するデッキスラブ１、鉄筋、あるいはメッシュ筋を利用し、これらデッキスラブ１、鉄筋、あるいはメッシュ筋にケーブル取出し用ボルト４、４Ａ、４Ｂ等を溶接により立設し、このケーブル取出し用ボルト４、４Ａ、４Ｂに対して接地ケーブル接続金物１５、１５Ａ、１５Ｂを固着することによりスラブ構造躯体３１を構成する。そして、このスラブ構造躯体３１の接地ケーブル接続金物１５、１５Ａ、１５Ｂに接地ケーブル２４を接続することによって接地構造を構成することができる。
【００４５】
上記のようなデッキスラブ１、鉄筋、あるいはメッシュ筋等を接地線として利用した接地構造は、接地抵抗が非常に低く、高周波ノイズ、高調波ノイズを迅速に地中に拡散できる効果を有するため、コンピュータ機器に対するノイズ障害防止手段として有効に機能させることができる。また、建物全体が等電位化されてシールド効果をもたらすことができるため、雷害対策としても有効に機能させることができる。
【００４６】
また、施工的にも、工場においてデッキスラブ１を製作する際に、デッキスラブ１にケーブル取出し用ボルト４、４Ａ、４Ｂ等を溶接しておくことにより、現場での新たな追加作業を接地ケーブル接続金物１５、１５Ａ、１５Ｂをケーブル取出し用ボルト４、４Ａ、４Ｂに対して、スラブ厚さに合わせて固着する作業のみとすることができるため、コスト及び施工工程上のメリットも十分に期待することができる。
【００４７】
更に、通常のデッキスラブ１にケーブル取出し用ボルト４、４Ａ、４Ｂや接地ケーブル接続金物１５、１５Ａ、１５Ｂが追加設置されるだけであるため、上端筋１０の配筋作業やコンクリートの打設作業及び左官作業等に悪影響を及ぼす心配もなく、容易に施工することができる。
【００４８】
更にまた、上端筋１０の配筋やコンクリートの打設作業に伴う作業者の安全確保の点から、ケーブル取出し用ボルト４、４Ａ、４Ｂのみの場合、作業者が転倒したときにケガをする心配があるが、接地ケーブル接続金物１５、１５Ａ、１５Ｂが固着されることにより保護キャップとしての役割を持たせることができるため、作業者に対する安全性を向上させることができる。
【００４９】
従って、上記した各実施形態によると、ＩＴ時代に求められるコンピュータ機器に対するノイズ障害防止機能に優れ、建物全体の等電位化・シールド化による雷害対策としても有効な接地システムを低コストで構築することができる。
因みに、この接地システムと従来のフリーアクセスフロア内に接地線をグリッド状に配線したものとをコスト比較すると、この接地システムでは、１千〜２千円／平方メートル程度であるのに対して、従来のフリーアクセスフロア内に銅線等をメッシュ状に配線する場合には、３〜５万円／平方メートル程度であり、１５分の１程度のコストで係る接地システムを構築することができる。
【００５０】
【発明の効果】
以上に詳細に説明したように、本発明に係る構造躯体及び構造躯体を利用した接地構造並びにその施工方法によると、ＩＴ時代に求められるコンピュータ機器等に対するノイズ障害防止機能に優れ、建物全体の等電位化・シールド化による雷害対策にも有効な接地構造を構築することができる。
また、低抵抗接地を実現するための構造躯体を現場での追加作業を最小限に抑え、低コストで工程上のメリットも期待でき、しかも作業者の安全性を確保しながら施工することができる。
更には、上記接地構造のための構成を構造躯体の配筋作業やコンクリート打設作業及び左官作業に悪影響を及ぼさないようにして施工することができる。
【図面の簡単な説明】
【図１】第１実施形態に係る躯体構造の構成を示す側面図である。
【図２】第２実施形態に係る躯体構造の構成を示す側面図である。
【図３】第３実施形態に係る躯体構造の構成を示す側面図である。
【図４】デッキスラブを梁上に固着したＳ造りの場合の形態図である。
【図５】デッキスラブを梁上に固着したＳＲＣ造りの場合の形態図である。
【図６】デッキスラブ上に上端筋を配筋したＳ造りの場合の形態図である。
【図７】デッキスラブ上に上端筋を配筋したＳＲＣ造りの場合の形態図である。
【図８】デッキスラブを壁鉄筋に電気的に接続した状態を示す側面図である。
【図９】ケーブル取出し用ボルトに第１形態の接地ケーブル接続金物を固着した状態の側面図である。
【図１０】ケーブル取出し用ボルトに第２形態の接地ケーブル接続金物を固着した状態の側面図である。
【図１１】ケーブル取出し用ボルトに第３形態の接地ケーブル接続金物を固着した状態の側面図である。
【図１２】接地ケーブルを接続した接地構造の第１形態図である。
【図１３】接地ケーブルを接続した接地構造の第２形態図である。
【図１４】接地ケーブルを接続した接地構造の第３形態図である。
【図１５】本発明に係る構造躯体及び接地構造を採用した建物の全体構成を示す概念図である。
【符号の説明】
１…デッキスラブ、２…主鉄筋、３…鉄板プレート、４，４Ａ，４Ｂ…ケーブル取出し用ボルト、５…上端ネジ部、６，６Ａ…鉄骨梁、１０…上端筋、１１…梁上接続筋、１２…上端定着筋、１３…壁鉄筋、１５，１５Ａ，１５Ｂ…接地ケーブル接続金物、１６…貫通ネジ孔、１７…ナット状部材、１８…キャップ、１９…貫通ネジ孔、２０…長ナット、２１…スタイロフォーム、２２…椀状部材、２３…蓋、２４…接地ケーブル、２５…ケーブル端子、２６…ボルト、２７…ナット、３０…建物、３１…スラブ構造躯体、３２…各種機器
【図１】
2004183426.tif 000003
【図２】
2004183426.tif 000004
【図３】
2004183426.tif 000005
【図４】
2004183426.tif 000006
【図５】
2004183426.tif 000007
【図６】
2004183426.tif 000008
【図７】
2004183426.tif 000009
【図８】
2004183426.tif 000010
【図９】
2004183426.tif 000011
【図１０】
2004183426.tif 000012
【図１１】
2004183426.tif 000013
【図１２】
2004183426.tif 000014
【図１３】
2004183426.tif 000015
【図１４】
2004183426.tif 000016
【図１５】
2004183426.tif 000017